(57)【要約】【課題】読み取りの可否を利用者が容易に切り替えできる非接触ＩＣカードを提供する。【解決手段】非接触ＩＣカード１を、ループアンテナ２２と接続する接点２０を有するＩＣチップ２１と、前記ＩＣチップ２１と接続する接点２４を有するループアンテナ２２と、前記ＩＣチップ２１と前記ループアンテナ２２の互いの接点２０，２４が電気的に接続された接続状態と互いの接点２０，２４が電気的に分離された非接続状態とに切り替える切替部５とを備えた。【選択図】図１
2007233979.tif 000002
【特許請求の範囲】
【請求項１】
アンテナと接続する接点を有するＩＣと、
前記ＩＣと接続する接点を有するアンテナと、
前記ＩＣと前記アンテナの互いの接点が電気的に接続された接続状態と互いの接点が電気的に分離された非接続状態とに切り替える切替手段とを備えた
非接触ＩＣ媒体。
【請求項２】
前記ＩＣを、平面状に形成して両側辺を平行な一直線状に形成した第１部材に備え、
前記アンテナを、前記第１部材の両側辺を上記一直線方向にスライド移動可能にガイドするガイド部を有する第２部材に備えた
請求項１記載の非接触ＩＣ媒体。
【請求項３】
前記第１部材に、利用者の手動操作による前記スライド移動を許容する操作部を設けた
請求項２記載の非接触ＩＣ媒体。
【請求項４】
前記第１部材に、磁石に吸着される磁性部材を備えた
請求項２記載の非接触ＩＣ媒体。
【請求項５】
請求項１から４のいずれか１つに記載の非接触ＩＣ媒体を搭載し、
前記第２部材をカード大に形成した
非接触ＩＣカード。
【請求項６】
利用者による入力を受け付ける入力手段と、
該入力に基づいて制御動作を実行する制御手段と、
制御に基づいて出力する出力手段とを備えた電子機器であって、
請求項１から４のいずれか１つに記載の非接触ＩＣ媒体を搭載した
電子機器。
【請求項７】
利用者の入力操作を受け付けて該入力に基づく出力を行う電子機器に着脱自在に取り付けられる電子機器カバーであって、
請求項１から４のいずれか１つに記載の非接触ＩＣ媒体を搭載した
電子機器カバー。
【請求項８】
非接触ＩＣ媒体を挿入許容する挿入部と、
該挿入部に挿入された前記非接触ＩＣ媒体に対して非接触通信する通信部とを有する非接触ＩＣ媒体リーダライタであって、
前記挿入部に、請求項１から４のいずれか１つに記載の非接触ＩＣ媒体の切替手段を切替操作して前記ＩＣと前記アンテナの互いの接点を接続状態と非接続状態とに切り替える切替操作手段を備えた
非接触ＩＣ媒体リーダライタ。
【発明の詳細な説明】
【技術分野】
【０００１】
この発明は、例えば情報を記憶して非接触で通信するような非接触ＩＣ媒体、および、該非接触ＩＣ媒体を搭載した非接触ＩＣカード、電子機器、電子機器カバー、および非接触ＩＣ媒体リーダライタに関し、特にスキミングを防止するものに関する。
【背景技術】
【０００２】
一般に、個人を識別して金銭を電子的に取り扱う媒体として、キャッシュカードやクレジットカード、デビットカードなどが利用されている。このようなカードには、個人を識別するＩＤや、チャージされている金額などの情報を記憶する情報記憶媒体として磁気ストライプが備えられ、該磁気ストライプに記憶した情報に基づいて取引が行われる。
【０００３】
近年、このようなカードからの情報を不正に読み取るスキミングによる犯罪が問題となっている。スキミングにより取得された情報は、カードの偽造に利用され、偽造されたカードによって商品の購入や預金の引き出し等が勝手に行われてしまうことになる。
【０００４】
上記磁気ストライプ以外にも情報記憶媒体として、接触型や非接触型のＩＣ媒体が存在する。このＩＣ媒体は、ＩＣチップ内に制御部と記憶部を備えたもので、その記憶部には、磁気ストライプと比較して大量の情報を記憶することができる。このため、情報を暗号化して記憶しておくことも可能となり、磁気ストライプに比べて高度なセキュリティレベルを確保することができる。
【０００５】
このようなＩＣ媒体のうち特に非接触型のＩＣ媒体は、磁気ストライプや接触型ＩＣ媒体のように読取装置にカードを挿入せずとも、財布やカードケース等に入れたままで読取装置と通信できるため、非常に利便性が高く、注目されている。
【０００６】
しかし、非接触で通信できるがために、非接触型ＩＣ媒体を搭載したカードでは、上述したスキミングの如き不正行為の可能な場面が、磁気ストライプを搭載したカードの場合に比べて多い。たとえば電車の中、人込み、飲食店など施設の出入り口などのように、日常の様々な場面でスキミングされる可能性がある。しかも、非接触型ＩＣ媒体の所持者は、スキミングされたこと自体、またいつスキミングされたのかも自分では気づかない。
【０００７】
このようなことから、現在のところ非接触型ＩＣ媒体に対するスキミング事例は報告されていないものの、非接触型ＩＣ媒体を搭載したカードについてもスキミングを防止できるようにすることが望まれている。
【０００８】
これまで、アルミなどの金属が電磁波を遮断する性質を利用した技術が提案されている。たとえば下記特許文献１の収納ケースや、特許文献２のスキミング防止封筒などである。
【０００９】
しかし、これまで提案されているものは、カードをスキミングから守るために、電磁波を遮断する手段を備えたケースでカードを覆うというものである。カードの全体を電磁波遮断手段で覆うので、スキミングは防止できるものの、カードを正当に使用するときはカードをケースから取り出さなければならず不便である。  
また、カード自体に電磁波遮断手段が講じられたものは存在しない。
【００１０】
【特許文献１】特開２００４−１８８２１５号公報
【特許文献２】登録実用新案第３１１６３４５号公報
【発明の開示】
【発明が解決しようとする課題】
【００１１】
この発明は、上述の問題に鑑み、読み取りの可否を利用者等が容易に切り替えできる非接触ＩＣ媒体、非接触ＩＣカード、電子機器、電子機器カバー、および非接触ＩＣ媒体リーダライタを提供することを目的とする。
【課題を解決するための手段】
【００１２】
この発明は、アンテナと接続する接点を有するＩＣと、前記ＩＣと接続する接点を有するアンテナと、前記ＩＣと前記アンテナの互いの接点が電気的に接続された接続状態と互いの接点が電気的に分離された非接続状態とに切り替える切替手段とを備えた非接触ＩＣ媒体であることを特徴とする。
【００１３】
またこの発明は、非接触ＩＣ媒体を挿入許容する挿入部と、該挿入部に挿入された前記非接触ＩＣ媒体に対して非接触通信する通信部とを有する非接触ＩＣ媒体リーダライタであって、前記挿入部に、前記非接触ＩＣ媒体の切替手段を切替操作して前記ＩＣと前記アンテナの互いの接点を接続状態と非接続状態とに切り替える切替操作手段を備えた非接触ＩＣ媒体リーダライタであることを特徴とする。
【発明の効果】
【００１４】
この発明により、非接触ＩＣ媒体の読み取りの可否を利用者や非接触ＩＣ媒体リーダライタが容易に切り替えできる。
【発明を実施するための最良の形態】
【００１５】
非接触での読み取りの可否を利用者等が容易に切り替えできる非接触ＩＣ媒体、非接触ＩＣカード、電子機器、および電子機器カバーを提供するという目的を、アンテナと接続する接点を有するＩＣを備えた第１部材と、前記ＩＣと接続する接点を有するアンテナを備えた第２部材とを、互いの接点が接触する接続状態と互いの接点が離間する非接続状態とに移動可能に構成して実現した。
【００１６】
また、非接触ＩＣ媒体の読み取り可否を容易に切り替えできる非接触ＩＣ媒体リーダライタを提供するという目的を、非接触ＩＣ媒体の切替手段を切替操作してＩＣとアンテナの互いの接点を接続状態と非接続状態とに切り替える切替操作手段を備えることで実現した。
【００１７】
この発明の一実施形態を以下図面と共に説明する。
【実施例１】
【００１８】
図１は、非接触ＩＣカード１を示す斜視図であり、図２はその分解斜視図、図３は拡大断面図、図４は部分拡大図である。
【００１９】
これらの図に示したように、非接触ＩＣカード１は、ＩＣチップ２１とループアンテナ２２とで構成される非接触型ＩＣ媒体２３が搭載された非接触型のＩＣカードである。非接触型ＩＣ媒体２３は、一般にＲＦ−ＩＤ（Radio Frequency Identification）タグと呼ばれるものであり、電波または電磁波を用いて非接触の通信を行う機能、および情報を記憶する機能を有する。
【００２０】
非接触ＩＣカード１は、キャッシュカード、クレジットカード、定期券、プリペイドカード、社員証、学生証などとして利用されるもので、長方形板状をなし、複数の部材を積層して構成され、情報記憶媒体としての上記ＩＣチップ２１とループアンテナ２２との接続／分離を切り替える切替部５を備える。
【００２１】
詳述すると、図２に示すように非接触ＩＣカード１は、主にカード大の第１ラミネート部材２、カード大のスペーサ部材１１、およびカード大の第２ラミネート部材１５が上からこの順で重合接着されて構成されている。
【００２２】
底面にあたる第２ラミネート部材１５は、接着される内側面にループアンテナ２２が設けられている。このループアンテナは、プリント配線等によって構成された一重のループ（二重や三重といった複数重のループでもよい）であり、両端に接点２４，２４が設けられている。この接点２４，２４の互いの間は、第２ラミネート部材１５の短手方向幅と比べて充分小さく構成されており、この実施形態では、ＩＣチップ２１の大きさと同程度の間隔に構成されている。また接点２４，２４は、第２ラミネート部材１５に接着固定され、表面側へ突出している。第２ラミネート部材１５の外側面である裏面は、印刷等が施された化粧面である。
【００２３】
スペーサ部材１１は、第２ラミネート部材１５と同一サイズで肉厚一定の平面形状に形成されている。スペーサ部材１１の短手方向中央には、前記接点２４，２４の位置を囲繞するように長方形のスライド用穴１２が設けられている。このスライド用穴１２における左右の長手辺は平行な一直線状のスライドガイド１３，１３を構成している。
【００２４】
スペーサ部材１１のスライド用穴１２内には、切替部５が収納される。この切替部５は、板状部材６と操作部７とＩＣチップ２１と接点２０，２０とで構成されている。
【００２５】
板状部材６は、スライド用穴１２の左右幅と同一か僅かに小さい横幅で、スライド用穴１２の縦幅より短い縦幅の長方形であり、肉厚一定の平面形状に形成されている。この板状部材６の両側辺８，８は、互いに平行で一直線状に形成されている。
【００２６】
操作部７は、板状部材６の縦方向の一端で幅方向中央に表面側（第１ラミネート部材２側）に突出形成され、その表面は滑り止め加工がなされている。
【００２７】
ＩＣチップ２１は、情報を記憶する記憶部と、制御動作を実行する制御部とを有するものである。このＩＣチップ２１は、板状部材６の裏面側（第２ラミネート部材１５側）に接着固定されており、該ＩＣチップ２１の端子が接点２０，２０に電気的に接続されている。この接点２０，２０は、板状部材６の裏面側に接着固定されており、裏面側へ突出している。
【００２８】
このように構成された切替部５は、スペーサ部材１１のスライド用穴１２内で、側辺８，８がスライドガイド１３，１３に沿って安定して前後方向にスライド移動できる。
【００２９】
第１ラミネート部材２は、第２ラミネート部材１５と同一サイズで肉厚一定の平面形状に形成されている。第１ラミネート部材２の短手方向中央には、前記操作部７の位置を囲繞するように長方形の操作用穴３が設けられている。この操作用穴３における左右の長手辺は平行な一直線状の操作ガイド４，４を構成している。この操作用穴３内には、切替部５の操作部７が前後動可能に位置する。この操作部７の両側辺は、操作ガイド４，４でガイドされ、これにより安定して前後にスライド移動するように構成されている。第１ラミネート部材２の表面は、印刷等が施された化粧面である。
【００３０】
前記第１ラミネート部材２、板状部材６、スペーサ部材１１、および第２ラミネート部材１５は、紙や樹脂など通信波（電磁波や電波など）を通過許容する素材で形成すればよく、同一素材で形成する、あるいは別素材で形成することができる。
【００３１】
また、板状部材６は、適度な剛性を有する素材で構成することが好ましく、第１ラミネート部材２、スペーサ部材１１、および第２ラミネート部材１５は、少なくとも全てが重合して接着固定された状態で適度な剛性を有する素材で構成することが好ましい。
【００３２】
また、第１ラミネート部材２、スペーサ部材１１、および第２ラミネート部材１５は、少なくともスライド用穴１２の周囲については強固に接着固定することが好ましい。これにより、スライド用穴１２の周囲の接着が剥がれて切替部５が意図しない方向へ移動することや、第１ラミネート部材２と第２ラミネート部材１５の間が浮いて接点２０と接点２４との接触が悪くなることを防止できる。
【００３３】
以上の構成により、利用者は操作部７を操作してスライド移動させるだけで、図１（Ａ）に示した通信可能状態と、図１（Ｂ）に示した通信不可能状態とを容易に切り替えることができる。
【００３４】
つまり、通信可能状態では、図１（Ａ）に示すように操作部７が操作用穴３の奥側に位置し、図３（Ａ）および図４（Ａ）に示すように、接点２０と接点２４とが接触し、ＩＣチップ２１とループアンテナ２２とが電気的に接続される。従って、適宜の質問器からループアンテナ２２が受けた磁界による誘導起電力でＩＣチップ２１が駆動でき、またＩＣチップ２１がループアンテナ２２を通じて質問器と非接触通信することができる。このとき、接点２０と接点２４とが互いに突出しているため、電気的な接続を確実に行うことができる。
【００３５】
通信不可能状態では、図１（Ｂ）に示すように操作部７が操作用穴３の手前側に位置し、図３（Ｂ）および図４（Ｂ）に示すように、接点２０と接点２４とが離間して非接触となり、ＩＣチップ２１とループアンテナ２２とが電気的に分離される。従って、適宜の質問器からループアンテナ２２が磁界を受けても誘導起電力が生じず、質問器とＩＣチップ２１とは非接触通信ができない。このため、キミングなどの不正なデータ通信を物理的に防止することができる。
【００３６】
このように、利用者は、スキミングを防止できる通信不可能状態と、非接触通信を実行可能にする通信可能状態とを、操作部７を前後動させるという簡単な動作で確実に切り替えることができる。これにより、ＩＣチップ２１に記憶された情報の機密性を高め、利便性を向上し、利用者の満足度を向上させることができる。
【００３７】
また、非接触ＩＣカード１は、平面状の複数の部材を重合配置して切替部５をスライド移動可能に構成しているため、薄型のカード形状に形成するのが容易であり、安価に製造することができる。
【００３８】
また、接点２４近傍におけるループアンテナ２２の配線方向、および接点２０の近傍におけるＩＣチップ２１との接続配線は、図４に示したようにスライド移動方向と平行であるため、ＩＣチップ２１とループアンテナ２２との電気的な接続を容易に行うことができる。すなわち、仮に接点２０と接点２４とが互いを乗り越えたとしても、接点２０はループアンテナ２２の配線と接触でき、またループアンテナ２２はＩＣチップ２１の配線と接触できる。このため、電気的な接続の確実性を高めることができる。
【００３９】
なお、ＩＣチップ２１側の接点２０とループアンテナ２２側の接点２４とをいずれも突出させて形成したが、いずれか一方のみを突出させる、あるいは両方突出させない構成としてもよい。この場合でも、接点２０，２４が互いに接触さえすれば電気的に接続されるため、通信可否を切り替えることができる。
【実施例２】
【００４０】
図５は、実施例２の非接触ＩＣカード１の斜視図を示す。  
この非接触ＩＣカード１は、切替部５、接点２４、およびスライド用穴１２（実施例１の図２参照）の位置を非接触ＩＣカード１の一端辺部に設けたものであり、切替部５の操作部７を非接触ＩＣカード１の一端辺外側に位置させて構成している。その他の構成は、実施例１と同一であるので、その詳細な説明を省略する。
【００４１】
これにより、図５（Ａ）に示すように、切替部５を奥まで収納した状態で接点２０と接点２４を切り離して離間させ、通信不可能状態とすることができる。  
また、図５（Ｂ）に示すように、切替部５を最大限引き出した状態で接点２０と接点２４を接触させてＩＣチップ２１とループアンテナ２２とを電気的に接続し、通信可能状態とすることができる。
【００４２】
このようにして、実施例１と同一の効果を得ることができる。  
なお、切替部５を最大限引き出した状態で接点２０と接点２４とが接触するように、切替部５の引き出し可能距離を規制する適宜のストッパを設けることが望ましい。
【実施例３】
【００４３】
図６は、実施例３の折りたたみ式の携帯電話機４１の開状態の斜視図を示す。  
携帯電話機４１は、蓋側ユニット４２と本体側ユニット４５とがヒンジ４４によって開閉可能に連結されている。
【００４４】
蓋側ユニット４２の内面には、スピーカー５１と液晶ディスプレイ５２とが配設されている。  
本体側ユニット４５の内面には、ファンクションキーや文字入力キーなどの複数の入力ボタン５７と、マイク５９とが配設されている。本体側ユニット４５のヒンジ４４近傍には、音声通話や電波通信用のアンテナ４３が設けられている。
【００４５】
これらの蓋側ユニット４２および本体側ユニット４５の内面の筐体カバー５５は、いずれも通信波（電波や電磁波など非接触通信に用いられる波）を透過許容する通常の樹脂部材により略一定の肉厚に形成されている。
【００４６】
図７（Ａ）は、閉状態の携帯電話機４１を蓋側ユニット４２側から見た斜視図を示し、図７（Ｂ）は、閉状態の携帯電話機４１を本体側ユニット４５側から見た斜視図を示す。
【００４７】
蓋側ユニット４２側の外面（図７（Ａ）の上面）には、デジタルカメラ６１および液晶ディスプレイ６２が設けられている。  
本体側ユニット４５の外面側の外カバー６５（図２（Ｂ）の上面）には、操作用穴３、および該操作用穴３から突出する操作部７が設けられている。
【００４８】
この外カバー６５は、表面が実施例１の第１ラミネート部材２（図２参照）に対応し、肉厚一定の平面状の樹脂部材で形成されている。この外カバー６５の内側には、実施例１のスペーサ部材１１および第２ラミネート部材１５が重合配置されて接着固定されており、実施例１と同様に、スペーサ部材１１のスライド用穴１２内に切替部５がスライド移動可能に収納されている。
【００４９】
図８は、携帯電話機４１のブロック図を示す。携帯電話機４１は、制御部７０に接続して、撮影部７１、記憶部７２、入力部７３、表示部７４、通話部７５、通信部７６、および非接触ＩＣ媒体２３が設けられている。
【００５０】
制御部７０は、ＣＰＵ、ＲＯＭ、およびＲＡＭで構成されており、ＣＰＵがＲＯＭに記憶されたプログラムおよびデータに従ってＲＡＭを一時記憶領域として利用して各種制御動作を実行する。
【００５１】
撮影部７１は、デジタルカメラ６１（図７（Ａ）参照）で構成され、撮影した撮影画像を制御部７０に送信する。  
記憶部７２は、不揮発性メモリ等の記憶媒体で構成され、各種データやプログラムを記憶している。
【００５２】
入力部７３は、入力ボタン５７（図６参照）で構成され、利用者によって押下操作された操作信号を制御部７０に送信する。  
表示部７４は、液晶ディスプレイ５２（図６参照）および液晶ディスプレイ６２（図７（Ａ）参照）で構成され、制御部７０から受信した画像信号に従って文字や図や写真などの画像を表示する。
【００５３】
通話部７５は、スピーカー５１（図６参照）およびマイク５９（図６参照）で構成され、遠隔地の電話機から受信した音声を制御部７０の制御によってスピーカー５１で音声出力し、マイク５９で集音した音声を制御部７０に送信する。  
通信部７６は、制御部７０の制御に従って、電子メールの送信やインターネットホームページの閲覧などのデータ通信を実行する。
【００５４】
非接触ＩＣ媒体２３は、制御部７０に接続されたＩＣチップ２１とループアンテナ２２とで構成されており、ＩＣチップ２１の制御動作によってループアンテナ２２でＡＴＭやキャット端末等の適宜の装置に設けられた質問器８０と非接触でデータ通信する。データ通信した内容は、ＩＣチップ２１が適宜制御部７０に送信する。非接触ＩＣ媒体２３は、切替部５（図７（Ｂ）参照）が通信可能状態に切り替えられ、接点２０と接点２４が接続された通信可能状態であれば質問器８０と非接触で通信できるが、切替部５が通信不可能状態に切り替えられ、接点２０と接点２４が離間された通信不可能状態であれば質問器８０やその他の質問器（例えば不正な質問器）とは物理的に通信できない。
【００５５】
なお、非接触ＩＣ媒体２３は制御部７０と完全に切り離して構成してもよい。また、制御部７０とＩＣチップ２１とを直接接続せず、制御部７０に別途のアンテナを設け、該アンテナでループアンテナ２２と非接触通信してＩＣチップ２１と制御部７０がデータ通信する構成にしてもよい。
【００５６】
以上の構成により、利用者は携帯電話機４１を用いて通話やデータ通信を行うことができる。また、携帯電話機４１に搭載されている非接触ＩＣ媒体２３を用いて商品の購入など各種取引を行うことができる。携帯電話機４１はデータ通信機能も有しているため、インターネットを利用した電子商取引においても非接触ＩＣ媒体２３を利用することができる。
【００５７】
このようにして、利用者は操作部７を操作して切替部５をスライド移動させるだけで、通信可能状態と通信不可能状態とを容易に切り替えることができ、実施例１と同一の効果を得ることができる。
【００５８】
なお、切替部５の代わりに押下ボタンを備えても良い。この場合、ＩＣチップ２１とループアンテナ２２とは、ＩＣチップ２１両側の接点２０とループアンテナ２２両端の２４とを互いに離間させた状態で備えておき、それぞれの接点２０と接点２４とを電気的に接続する接続接点を押下ボタンに設けると良い。
【００５９】
これにより、押下ボタンが押下されれば接続接点が接点２０と接点２４とに接触してＩＣチップ２１とループアンテナ２２が電気的に接続され、通信可能状態となる。押下ボタンが開放されれば、バネなどの弾性部材による弾性力で接続接点が接点２０と接点２４とから離間し、通信不可能状態となる。
【００６０】
このようにして、押下ボタンを押下するという簡単な操作で通信可否を切り替えることが可能となる。この場合、カバンの中などで押下ボタンが意図せず押下されることを防止するべく、押下できないようロックするロック部を設けることが好ましい。これにより、意図せずに通信可能状態となることを防止することができる。
【実施例４】
【００６１】
また、図９の実施例４の斜視図に示すように、外カバー６５を携帯電話機４１本体に着脱可能な着せ替えカバー（携帯型電子機器カバー）９０として構成してもよい。この場合、携帯電話機４１の本体側に、着脱凹部９２，９２を設け、着せ替えカバー９０に着脱凸部９１，９１を設けると良い。これにより、着脱凸部９１が着脱凹部９２に嵌合して着せ替えカバー９０を携帯電話機４１の本体に装着でき、また容易に取り外すことができる。他の構成要素については、上述した実施例と同一であるので、同一要素に同一符号を付して詳細な説明を省略する。
【００６２】
この実施例により、通信可否の切替機能を着せ替えカバー９０にて提供することができる。従って利用者は、通信可否の切替機能が欲しい場合に着せ替えカバー９０を使用し、通信可否の切替機能が不要な場合に通常の着せ替えカバーを使用することで、好みに応じて使い分けることができる。また、携帯電話機４１の販売時はスキミング防止機能を備えず、オプションとして着せ替えカバー９０を提供することもできる。
【実施例５】
【００６３】
図１０は、実施例５の非接触ＩＣカード１の斜視図、図１１はその分解斜視図、図１２はリーダライタ１００の構成図、図１３は非接触ＩＣカード１とリーダライタ１００の拡大断面図を示す。  
この非接触ＩＣカード１は、実施例１に備えていた操作部７（図１参照）の代わりに、鉄やコバルトやニッケルなど磁石に吸着する磁性部材で形成された金属板９を設けたものである。この場合は、第１ラミネート部材２に操作用穴３（図１参照）が不要となる。また、実施例１ではループアンテナ２２の内側にＩＣチップ２１を位置させていたが、この実施例５ではＩＣチップ２１をループアンテナ２２の外側に位置させている。
【００６４】
その他の構成については、実施例１の非接触ＩＣカード１と同一であるので、同一要素に同一符号を付してその詳細な説明を省略する。
【００６５】
また、この実施例５では、図１２に示すように、非接触ＩＣカード１と非接触で通信するリーダライタ１００が用いられる。
【００６６】
このリーダライタ１００は、図１２（Ａ）の側面断面図、および図１２（Ｂ）のＡ−Ａ矢視断面図に示すように、非接触ＩＣカード１を挿入する挿入穴１０６を有しており、この挿入穴１０６の上面の略中央部に電磁石１０１が設けられている。また、挿入穴１０６の上面の奥側には、非接触ＩＣカード１の挿入を検知する挿入検知センサ１０５が設けられている。
【００６７】
挿入穴１０６の下面には、前後に２つのローラ１１１が設けられ、このローラ１１１にベルト１１２が張架されている。前記ローラ１１１がモータ等の適宜の駆動手段で回転駆動されると、ベルト１１２はこれに伴って回転し、非接触ＩＣカード１を搬送して該非接触ＩＣカード１の取り込みおよび排出を実行する。
【００６８】
また、挿入穴１０６の下面には、非接触ＩＣカード１と非接触通信する通信アンテナ１１５が設けられている。
【００６９】
また、リーダライタ１００には、電磁石１０１に電力供給して磁界を発生させる処理と、挿入検知センサ１０５の検知信号を受信した後に通信アンテナ１１５を制御して非接触ＩＣカード１とデータ通信処理とを行う制御部（図示省略）も設けられている。また、受信したデータを制御部の制御によってＰＣなどの上位装置に出力する出力部も設けられている。
【００７０】
以上の構成により、図１３（Ａ）に示すように、初期状態ではＩＣチップ２１側の接点２０とループアンテナ２２側の接点２４とが離間した状態である。
【００７１】
この非接触ＩＣカード１が挿入穴１０６に挿入されると、この挿入を挿入検知センサ１０５が検知する。挿入穴１０６のさらに奥まで非接触ＩＣカード１が挿入されると、図１３（Ｂ）に示すように、電磁石１０１の磁界によって該電磁石１０１に金属板９が吸着する。このため、切替部５はその位置で停止し、第１ラミネート部材２、スペーサ部材１１、および第２ラミネート部材１５で構成される本体部は奥まで挿入される。従って、ＩＣチップ２１側の接点２０とループアンテナ２２側の接点２４とが接触して通電する状態になる。
【００７２】
そして、制御部は通信アンテナ１１５により非接触ＩＣカード１と通信し、データを読み取ることができる。
【００７３】
非接触ＩＣカード１をベルト１１２の駆動により排出するときは、金属板９が電磁石１０１に吸着していることによって、図１３（Ａ）に示した位置まで、切替部５は移動せず本体部（第１ラミネート部材２、スペーサ部材１１、および第２ラミネート部材１５）のみが移動する。従って、ＩＣチップ２１側の接点２０とループアンテナ２２側の接点２４とが離間して物理的に通信不能の状態になる。
【００７４】
そして、通信不能となった非接触ＩＣカード１を排出することができる。これにより、電磁石１０１等を備えたリーダライタ１００以外の装置によって非接触ＩＣカード１に記憶しているデータが不正に読み取られることを防止できる。
【実施例６】
【００７５】
図１４（Ａ）は、実施例６の非接触ＩＣカード１およびリーダライタ１００の側面断面図、図１４（Ｂ）はそのＢ−Ｂ断面図を示す。  
この実施例６の非接触ＩＣカード１は、操作部７（図１参照）の高さを第１ラミネート部材２の上面より高く突出させた以外は、実施例１の非接触ＩＣカード１と同一であるので、同一要素に同一符号を付してその詳細な説明を省略する。
【００７６】
リーダライタ１００は、電磁石１０１（図１２参照）の代わりに、係止用溝１０３と係止ガイド１０４を備えた以外は、実施例５のリーダライタ１００と同一であるので、同一要素に同一符号を付してその詳細な説明を省略する。
【００７７】
係止用溝１０３は、挿入穴１０６の上面に非接触ＩＣカード１の挿入方向へ一直線に形成された溝であり、操作部７の挿通を許容する。
【００７８】
係止ガイド１０４は、挿入穴１０６の奥側に設けられた係止用溝１０３の端部であり、幅方向に一直線に形成されている。
【００７９】
以上の構成により、挿入穴１０６に非接触ＩＣカード１が挿入されると、ベルト１１２で非接触ＩＣカード１を内部へ搬送する。この搬送の際、操作部７が係止用溝１０３に沿って挿通され、図１５（Ａ）の側面断面図に示すように操作部７が係止ガイド１０４に当接する。
【００８０】
ベルト１１２は、さらに非接触ＩＣカード１を内部へ搬送する。このとき、図１５（Ｂ）の側面断面図に示すように、操作部７は係止ガイド１０４に係止されてこれ以上奥へ移動できず、本体部（第１ラミネート部材２、スペーサ部材１１、および第２ラミネート部材１５）のみが奥へ搬送される。これにより、切替部５が移動し、ＩＣチップ２１側の接点２０とループアンテナ２２側の接点２４とが接触して通電する状態になり、通信アンテナ１１５でデータ通信することが可能になる。
【００８１】
従って、利用者は手動操作によって操作部７を操作しなくとも、非接触ＩＣカード１をリーダライタ１００の挿入穴１０６に挿入するだけで、リーダライタ１００に非接触ＩＣカード１と通信させることができる。
【００８２】
この実施形態では、データ通信後にリーダライタ１００の挿入穴１０６から排出された非接触ＩＣカード１は、ＩＣチップ２１側の接点２０とループアンテナ２２側の接点２４とが接触して通電する状態になっており、データ通信可能な状態となる。
【００８３】
なお、板状部材６を接点２０と接点２４が離間する方向へ付勢するバネなどの付勢手段を設け、挿入穴１０６から排出された非接触ＩＣカード１が付勢手段の付勢力によって自動的に通信不可の状態に移行する構成にしてもよい。
【００８４】
また、操作部７を上下に移動可能に構成し、この上下動によって接点２０と接点２４が接触と非接触に切り替えられる構成にしてもよい。この場合、係止ガイド１０４を、挿入穴１０６の奥側が下方となるように傾斜させて形成すればよい。
【００８５】
これにより、挿入されて奥へ搬送する非接触ＩＣカード１の操作部７を、傾斜面である係止ガイド１０４で下方へ押下することができ、接点２０と接点２４が接触して通電する状態に移行させることができる。
【００８６】
なお、上述した各実施形態では、切替部５をスライド移動可能に構成したが、回転移動可能に構成してもよい。この場合でも、手動操作による回転移動によって、接点２０と接点２４とを接続／分離することができる。
【００８７】
また、切替部５にＩＣチップ２１を搭載して移動可能に構成したが、ＩＣチップ２１はループアンテナ２２と同じ第２ラミネート部材１５上に備えてもよい。この場合、ＩＣチップ２１側の接点２０とループアンテナ２２側の接点２４とを離間させておき、切替部５に接点２０と接点２４を接続する接続接点を備えるとよい。この場合も、接続接点が接点２０と接点２４に接触してＩＣチップ２１とループアンテナ２２が通電する接続状態と、接点２０と接点２４の両方あるいは片方から接続接点が離間してＩＣチップ２１とループアンテナ２２が通電しない非接続状態とに切り替えることができる。
【実施例７】
【００８８】
図１６は、実施例７の非接触ＩＣタグ１３０の斜視図を示す。この非接触ＩＣタグ１３０は、円形のフィルム台紙１３２の上面中央部に円筒形のボタン部１３１を設けた構成にしている。
【００８９】
ボタン部１３１は、操作部となる上面が中央で凸となる形状に弾力性のある樹脂で形成されており、その内部は中空に形成されている。このボタン部１３１の天井の内側面には、ＩＣチップ２１が取り付けられており、該ＩＣチップ２１の下面に接点２０，２０が板バネ形状に形成されている。
【００９０】
フィルム台紙１３２は、底面に粘着層を備えた粘着シールであり、ループアンテナ２２が設けられている。このループアンテナ２２の接点２４，２４は、前記ＩＣチップ２１の接点２０，２０の下方位置に備えられている。
【００９１】
以上の構成により、ボタン部１３１の上面を下方へ凸となるように押下すると、図１６（Ｂ）に示すように接点２０と接点２４が接触して通信可能な状態となり、押下をやめて開放すると、図１６（Ａ）に示すように、ボタン部１３１の上面が弾性力によって上方へ凸の状態に復帰し、接点２０が接点２４から離れて通信不可の状態となる。
【００９２】
この発明の構成と、上述の実施形態との対応において、
この発明の切替手段は、実施形態の切替部５に対応し、
以下同様に、
第１部材は、実施形態の板状部材６に対応し、
磁性部材は、金属板９に対応し、
ガイド部は、スライドガイド１３に対応し、
第２部材は、第２ラミネート部材１５に対応し、
ＩＣは、ＩＣチップ２１に対応し、
アンテナは、ループアンテナ２２に対応し、
電子機器は、携帯電話機４１に対応し、
筐体カバーは、外カバー６５に対応し、
電子機器カバーは、外カバー６５を着脱可能に構成した着脱カバーに対応し、
制御手段は、制御部７０に対応し、
入力手段は、入力部７３に対応し、
出力手段は、表示部７４に対応し、
電子機器カバーは、着せ替えカバー９０に対応し、
非接触ＩＣ媒体リーダライタは、リーダライタ１００に対応し、
切替操作手段は、電磁石１０１または係止ガイド１０４に対応し、
挿入部は、挿入穴１０６に対応し、
通信部は、通信アンテナ１１５に対応するも、
この発明は、上述の実施形態の構成のみに限定されるものではなく、多くの実施の形態を得ることができる。
【図面の簡単な説明】
【００９３】
【図１】非接触ＩＣカードの斜視図。
【図２】非接触ＩＣカードの分解斜視図。
【図３】非接触ＩＣカードの拡大断面図。
【図４】非接触ＩＣカードの部分拡大図。
【図５】実施例２の非接触ＩＣカードの斜視図。
【図６】実施例３の開状態の携帯電話機の斜視図。
【図７】実施例３の閉状態の携帯電話機の斜視図。
【図８】実施例３の携帯電話機のブロック図。
【図９】実施例４の携帯電話機の斜視図。
【図１０】実施例５の非接触ＩＣカードの斜視図。
【図１１】実施例５の非接触ＩＣカードの分解斜視図。
【図１２】実施例５のリーダライタの構成図。
【図１３】実施例５の非接触ＩＣカードとリーダライタの拡大断面図。
【図１４】実施例６の非接触ＩＣカードおよびリーダライタの構成図。
【図１５】実施例６の非接触ＩＣカードおよびリーダライタの側面断面図。
【図１６】実施例７の非接触ＩＣタグの説明図。
【符号の説明】
【００９４】
１…非接触ＩＣカード、５…切替部、６…板状部材、７…操作部、９…金属板、１３…スライドガイド、１５…第２ラミネート部材、２０，２４…接点、２１…ＩＣチップ、２２…ループアンテナ、２３…非接触型ＩＣ媒体、４１…携帯電話機、６５…外カバー、７０…制御部、７３…入力部、７４…表示部、９０…着せ替えカバー、１００…リーダライタ、１０１…電磁石、１０４…係止ガイド、１０６…挿入穴、１１５…通信アンテナ、１３０…非接触ＩＣタグ
【図１】
2007233979.tif 000003
【図２】
2007233979.tif 000004
【図３】
2007233979.tif 000005
【図４】
2007233979.tif 000006
【図５】
2007233979.tif 000007
【図６】
2007233979.tif 000008
【図７】
2007233979.tif 000009
【図８】
2007233979.tif 000010
【図９】
2007233979.tif 000011
【図１０】
2007233979.tif 000012
【図１１】
2007233979.tif 000013
【図１２】
2007233979.tif 000014
【図１３】
2007233979.tif 000015
【図１４】
2007233979.tif 000016
【図１５】
2007233979.tif 000017
【図１６】
2007233979.tif 000018